【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
サンプル（Ｐ）を受け入れるためのカートリッジ（１００）と、前記カートリッジ（１００）を受け入れてその後に該受け入れたカートリッジ（１００）を用いて検査を実施するための分析デバイス（２００）とを備え、前記カートリッジ（１００）が、別々に実施することもできる前記サンプル（Ｐ）に対する異なる検査をサポートし、前記異なる検査に対応する少なくとも２片の異なる制御情報（５１０）が与えられ、分析システム（１）を用いて特に生体サンプル（Ｐ）を検査する方法において、
前記異なる検査に向けて、前記サンプル（Ｐ）が、それぞれの前記検査に固有である異なる方式で搬送及び／又は処理され、
前記方法は、
前記複数片の制御情報（５１０）のあるものだけを、前記カートリッジ（１００）に対して解除する段階であって、従って、前記ある複数片の制御情報（５１０）は選択に向けて有効化され、検索に向けて有効化され、及び／又は前記複数片の制御情報（５１０）のあるものだけを用いる制御が有効化される、段階、及び／又は、
好ましくは選択可能な、前記異なる複数片の制御情報（５１０）の特に他の、一又は複数を、前記カートリッジ（１００）に対して阻止する段階であって、従って、前記阻止された複数片の制御情報（５１０）は選択されることが防止され、検索されることが防止され、及び／又は該阻止された複数片の制御情報（５１０）を用いる制御が防止される、段階、
前記カートリッジ（１００）を用いる前記検査を実施するための、少なくとも１片の解除された前記制御情報（５１０）又はある解除された複数片の前記制御情報（５１０）を、選択する及び／又は用いる段階、
を含むことを特徴とする方法。
【請求項２】
前記分析デバイス（２００）は、前記サンプル（Ｐ）が、前記選択された１片又は複数片の制御情報（５１０）に対応する前記検査に固有である方式で、前記カートリッジ（１００）内で搬送及び／又は処理されるように、前記選択された１片又は複数片の制御情報（５１０）を用いて制御される、
請求項１に記載の方法。
【請求項３】
前記カートリッジ（１００）によってサポートされる１又は２以上の検査、特に核酸アッセイ及び／又は蛋白質アッセイが、前記選択された１片又は複数片の制御情報（５１０）を用いて制御される、及び／又は、
前記分析デバイス（２００）は、別々に実施することもできる前記サンプル（Ｐ）に対する異なる検査を実施するために前記異なる複数片の制御情報（５１０）を用いて制御される、
請求項１又は２に記載の方法。
【請求項４】
前記カートリッジ（１００）に対応しない、及び／又は該カートリッジ（１００）に適合しない、及び／又は該カートリッジ（１００）に対して無効化された複数片の制御情報（５１０）が阻止される、及び／又は、
前記カートリッジ（１００）のカートリッジ識別子（１００Ｃ）が決定され、該カートリッジ識別子（１００Ｃ）に基づいて、前記検査のための複数片の制御情報（５１０）が阻止又は解除される、
請求項１ないし３のいずれか１項に記載の方法。
【請求項５】
前記分析システム（１）は、作動計器（４００）を含み、前記選択された及び／又は解除された１片又は複数片の制御情報（５１０）が、前記検査を制御するために該作動計器（４００）を用いて検索され、及び／又は該作動計器（４００）によって前記分析デバイス（２００）に送信される、
請求項１ないし４のいずれか１項に記載の方法。
【請求項６】
前記異なる複数片の制御情報（５１０）の第１の１片が、蛋白質アッセイを制御するように構成され、前記異なる複数片の制御情報（５１０）の第２の１片が、核酸アッセイを制御するように構成されており、好ましくは、制御情報（５１０）の前記第１及び第２の１片の一方だけが解除され、制御情報（５１０）の該第１及び第２の１片の他方が阻止される又は阻止されたままに留まる、
請求項１ないし５のいずれか１項に記載の方法。
【請求項７】
サンプル（Ｐ）を受け入れるためのカートリッジ（１００）と、前記カートリッジ（１００）を受け入れてその後に該受け入れたカートリッジ（１００）を用いて検査を実施するための分析デバイス（２００）とを備え、測定結果（７１３）が前記検査によって決定される、特に請求項１ないし６のいずれか１項に記載の分析システム（１）を用いて特に生体サンプル（Ｐ）を検査する方法であって、
少なくとも２片の異なる評価情報（５３０）が、前記測定結果（７１３）の異なる評価を実施するために与えられ、少なくとも１片又はある複数片の前記評価情報（５３０）が、前記サンプル（Ｐ）に対する前記検査によって決定された該測定結果（７１３）を評価するために選択及び／又は用いられる、
ことを特徴とする方法。
【請求項８】
前記異なる複数片の評価情報（５３０）は、データベース（５００）に格納され、前記複数片の評価情報（５３０）のあるものだけが解除され、従って、選択に向けて、検索に向けて、及び／又は前記ある複数片の評価情報（５３０）を用いる前記測定結果（７１３）の評価に向けて、有効化される、
請求項７に記載の方法。
【請求項９】
前記複数片の前記評価情報（５３０）のうちの特に他の、一又は複数が阻止され、従って、選択されることが防止され、検索されることが防止され、及び／又は前記複数片の評価情報（５３０）の特に他を用いる前記評価が防止される、
請求項７又は８に記載の方法。
【請求項１０】
前記カートリッジ（１００）を用いて実施された前記サンプル（Ｐ）に対する同じ検査からの測定結果（７１３）が、前記異なる複数片の評価情報（５３０）の前記解除されたもののうちの前記選択された１つを用いて評価され、又は
同じカートリッジ（１００）を用いて実施された前記サンプル（Ｐ）に対する異なる検査からの測定結果（７１３）が、前記異なる複数片の評価情報（５３０）の前記解除されたもののうちの前記選択された１つを用いて評価される、
７ないし９のいずれか１項に記載の方法。
【請求項１１】
前記カートリッジ（１００）のカートリッジ識別子（１００Ｃ）が決定され、該カートリッジ識別子（１００Ｃ）に基づいて、前記検査からの測定結果（７１３）の前記評価に用いるための複数片の評価情報（５３０）が阻止又は解除される、
請求項７ないし１０のいずれか１項に記載の方法。
【請求項１２】
前記異なる複数片の評価情報（５３０）の第１の複数片が、蛋白質アッセイに対応し、前記異なる複数片の評価情報（５３０）の第２の複数片が、核酸アッセイに対応し、好ましくは、評価情報（５３０）の前記第１及び第２の複数片が解除され、一方で評価情報（５３０）の前記第１及び第２の複数片のうちの他方のものが阻止される又は阻止されたままに留まる、
請求項７ないし１１のいずれか１項に記載の方法。
【請求項１３】
前記選択された１片又は複数片の評価情報（５３０）は、前記作動計器（４００）のモジュールを形成及び／又は置換する命令を含み、モジュールは前記作動計器（４００）によって実施され、その結果前記作動計器（４００）の挙動が変更され、好ましくは、前記命令は、指令、機械コード、事前コンパイルされたソースコード、又はソースコードであり、及び／又は、前記命令は、モジュール様のソフトウエアコンポーネント、特に接続を形成する、
請求項７ないし１２のいずれか１項に記載の方法。
【請求項１４】
実行された時に請求項１ないし１３のいずれか１項に記載の方法の段階を実施させるプログラムコード手段、
を含むことを特徴とするコンピュータプログラム製品。
【請求項１５】
サンプル（Ｐ）を受け入れるためのカートリッジ（１００）と、前記カートリッジ（１００）を受け入れてその後に該受け入れたカートリッジ（１００）を用いて検査を実施するための分析デバイス（２００）とを備え、前記カートリッジ（１００）が、別々に実施することもできるサンプル（Ｐ）に対する異なる検査をサポートし、
前記異なる検査に対応する少なくとも２片の制御情報（５１０）が与えられ、
少なくとも１片又はある複数片の前記制御情報（５１０）が、該検査を実施するために選択可能であり、
前記分析デバイス（２００）は、好ましくは前記サンプル（Ｐ）が前記選択された１片の制御情報（５１０）に対応する前記検査に固有の方式で前記カートリッジ（１００）内で搬送及び／又は処理されるように、該選択された１片の制御情報（５１０）を用いて制御されるように構成される、好ましくは請求項１ないし１３のいずれか１項に記載の方法の段階を実施するように設計された、特に生体サンプル（Ｐ）を検査するための分析システム（１）において、
前記カートリッジ（１００）は、異なる検査に向けて前記サンプル（Ｐ）が、それぞれの検査に固有の異なる方式で該カートリッジ（１００）内で搬送及び／又は処理されるように構成され、
前記複数片の制御情報（５１０）のあるものだけが、前記カートリッジ（１００）に対して解除され、分析システム（１）が、選択に向けて、検索に向けて、及び／又は前記ある複数片の制御情報（５１０）を用いる制御を有効化するために、解除された複数片の制御情報（５１０）だけを有効化するように構成され、及び／又は、
前記複数片の制御情報（５１０）の、特に他の、一又は複数が、該カートリッジ（１００）に対して阻止され、分析システム（１）が、阻止された複数片の制御情報（５１０）が選択されること、検索されること、及び前記阻止された複数片の制御情報（５１０）を用いる前記制御を有効化することのうちの１又は２以上に対して防止するように構成される、
ことを特徴とする分析システム。
【請求項１６】
前記異なる複数片の制御情報（５１０）は、同じカートリッジ（１００）を用いる前記サンプル（Ｐ）に対する異なる検査を制御するように構成されている、
請求項１５に記載の分析システム。
【請求項１７】
前記分析デバイス（２００）は、前記サンプル（Ｐ）に対して異なる検査を実施するために、前記異なる複数片の制御情報（５１０）を用いる制御に向けて構成されている、
請求項１５又は１６に記載の分析システム。
【請求項１８】
前記分析デバイス（２００）又は分析システム（１）が、前記選択された１片又は複数片の制御情報（５１０）を用いて前記カートリッジ（１００）によってサポートされた１又は２以上の検査を実施するように構成されている、及び／又は、分析システム（１）又は前記分析デバイス（２００）が、前記選択された１片又は複数片の制御情報（５１０）を用いて核酸アッセイ及び／又は蛋白質アッセイを実施するように構成されている、
請求項１７に記載の分析システム。
【請求項１９】
分析システム（１）が、他の又は阻止された複数片の制御情報（５１０）が選択されること、検索されることに対して防止するように、又は前記他の又は阻止された複数片の制御情報（５１０）を用いる前記制御を防止するように構成されている、
請求項１５ないし１８のいずれか１項に記載の分析システム。
【請求項２０】
分析システム（１）が、前記検査を制御するために前記選択された複数片の制御情報（５１０）を検索して前記選択された複数片の制御情報（５１０）を前記分析デバイス（２００）に送信するように構成された作動計器（４００）を備えており、好ましくは、前記作動計器（４００）は、前記カートリッジ（１００）のカートリッジ識別子（１００Ｃ）を決定するように構成され、該カートリッジ識別子（１００Ｃ）に基づいて、前記検査のための複数片の制御情報（５１０）を選択される、検索される、及び／又は用いられるに対して解除する又は阻止することができる、
請求項１５ないし１９のいずれか１項に記載の分析システム。
【請求項２１】
好ましくは請求項１５ないし２０のいずれか１項に従って、特に生体サンプル（Ｐ）を検査するための、好ましくは請求項１ないし１３のいずれか１項に記載の方法の段階を実施するように構成された分析システム（１）であって、サンプル（Ｐ）を受け入れるためのカートリッジ（１００）と、前記カートリッジ（１００）を受け入れてその後に該受け入れたカートリッジ（１００）を用いて検査を実施するための分析デバイス（２００）とを備え、前記分析デバイス（２００）が、検査を用いて測定結果（７１３）を決定するように構成された、分析システム（１）において、
少なくとも２片の異なる評価情報（５３０）が、前記測定結果（７１３）の異なる評価を実施するために与えられ、少なくとも１片又はある複数片の前記評価情報（５３０）が、前記測定結果（７１３）を評価するために選択可能であり、及び／又は前記選択された１片又は複数片の評価情報（５３０）によって指定された該測定結果（７１３）は評価可能である、
ことを特徴とする分析システム。
【請求項２２】
前記異なる複数片の評価情報（５３０）は、データベース（５００）に格納され、
前記異なる複数片の制御情報（５１０）のあるものだけが、前記カートリッジ（１００）に対して解除され、従って、選択に向けて有効化され、検索に向けて有効化され、及び／又は前記複数片の評価情報（５３０）の前記あるものだけを用いる前記評価が有効化され、及び／又は
前記異なる複数片の制御情報（５１０）の特に他の、一又は複数のものが、前記カートリッジ（１００）に対して阻止され、従って、選択されることが防止され、検索されることが防止され、及び／又は前記特に他の、複数片の評価情報（５３０）を用いる前記評価が防止される、
請求項２１に記載の分析システム。
【請求項２３】
前記異なる複数片の評価情報（５３０）は、同じ検査からの測定結果（７１３）を別様に評価するように、又は同じカートリッジ（１００）を用いて取得可能な前記サンプル（Ｐ）に対する異なる検査を評価するように構成されている、
請求項２１又は２２に記載の分析システム。
【請求項２４】
前記異なる複数片の評価情報（５３０）は、別々に実施することもできる前記サンプル（Ｐ）に対する異なる検査の測定結果（７１３）を評価するように構成されている、
請求項２１ないし２３のいずれか１項に記載の分析システム。
【請求項２５】
前記ある又は解除された複数片の評価情報（５３０）は、前記カートリッジ（１００）に対応する及び／又は該カートリッジ（１００）に適合し、
分析システム（１）が、他の又は阻止された複数片の評価情報（５３０）が選択される及び／又は検索されることを防止するように、及び／又は該他の複数片の評価情報（５３０）を用いる前記評価を防止するように構成され、
前記他の又は阻止された複数片の評価情報（５３０）は、前記カートリッジ（１００）に対応しない及び／又は該カートリッジ（１００）に適合せず、及び／又は該カートリッジ（１００）に対して無効化される、
請求項２１ないし２４のいずれか１項に記載の分析システム。
【請求項２６】
分析システム（１）が、前記検査によって決定された前記測定結果（７１３）を、前記異なる複数片の評価情報（５３０）を用いる異なる方式で評価するように構成された作動計器（４００）を備えている、
請求項２１ないし２５のいずれか１項に記載の分析システム。
【請求項２７】
前記異なる複数片の前記評価情報（５３０）は、前記作動計器（４００）のモジュールを形成及び／又は置換することができる命令を含み、モジュールは前記作動計器（４００）によって実施することができ、その結果前記作動計器（４００）の挙動が変更可能であり、好ましくは、前記命令は、指令、機械コード、事前コンパイルされたソースコード、又はソースコードであり、及び／又は、前記命令は、モジュール様のソフトウエアコンポーネント、特に接続を形成する、
請求項２１ないし２６のいずれか１項に記載の分析システム。
【請求項２８】
サンプル（Ｐ）を受け入れるためのカートリッジ（１００）と、前記カートリッジ（１００）を受け入れてその後に該受け入れたカートリッジ（１００）を用いて検査を実施するための分析デバイス（２００）とを備え、前記カートリッジ（１００）が、別々に実施することもできる前記サンプル（Ｐ）に対する異なる検査をサポートし、前記異なる検査に対応する少なくとも２片の異なる制御情報（５１０）が与えられる分析システム（１）を用いて特に生体サンプル（Ｐ）を検査する方法、好ましくは、請求項１ないし１３のいずれか１項に記載の方法において、
前記異なる検査に向けて、前記サンプル（Ｐ）が、それぞれの検査に固有である異なる方式で搬送及び／又は処理され、前記異なる複数片の制御情報（５１０）の各々は、それぞれの命令を含んでおり、
前記方法は、前記カートリッジ（１００）を用いる前記検査を実施するための、少なくとも１片又はある複数片の前記制御情報（５１０）を、選択する段階を含み、
前記１片又は複数片の制御情報（５１０）の前記命令は、前記分析デバイス（２００）のモジュールを形成及び／又は置換し、モジュールは前記分析デバイス（２００）によって実施され、その結果前記分析デバイス（２００）の挙動が変更される、
ことを特徴とする方法。
【請求項２９】
前記命令は、指令、機械コード、事前コンパイルされたソースコード、又はソースコードであり、及び／又は、前記命令は、モジュール様のソフトウエアコンポーネント、特に接続を形成する、
請求項２８に記載の方法。
【請求項３０】
実行された時に請求項２８又は２９に記載の方法の段階を実施させるプログラムコード手段、
を含むことを特徴とするコンピュータプログラム製品。
【請求項３１】
特に生体サンプル（Ｐ）を検査する、好ましくは請求項１５ないし２７のいずれか１項に記載の分析システム（１）であって、好ましくは請求項１ないし１３、２８、２９のいずれか１項に記載の方法の前記段階を実施するように設計され、
前記サンプル（Ｐ）を受け入れるためのカートリッジ（１００）と、
前記カートリッジを受け入れてその後に該受け入れたカートリッジ（１００）を用いて検査を実施するための分析デバイス（２００）と、を備え、
前記カートリッジ（１００）が、別々に実施することもできる前記サンプル（Ｐ）に対する異なる検査をサポートし、
前記異なる検査に対応する少なくとも２片の制御情報（５１０）が与えられ、
少なくとも１片又はある複数片の前記制御情報（５１０）が、前記検査を実施するために選択可能であり、
前記分析デバイス（２００）は、前記選択された複数片の制御情報（５１０）を用いて制御されるように構成され、好ましくはこれにより、前記サンプル（Ｐ）が、前記選択された複数片の制御情報（５１０）に対応する前記検査に固有である異なる方式で、前記カートリッジ（１００）内で搬送及び／又は処理される、
分析システム（１）において、
前記カートリッジ（１００）は、異なる検査に向けて前記サンプル（Ｐ）が、それぞれの該検査に固有の異なる方式で該カートリッジ（１００）内で搬送及び／又は処理されるように構成され、
前記異なる複数片の制御情報（５１０）の各々は、前記分析デバイス（２００）のモジュールを形成及び／又は置換することができるそれぞれの命令を含んでおり、モジュールは前記分析デバイス（２００）によって実施することができ、その結果前記分析デバイス（２００）の挙動が変更可能である、
ことを特徴とする分析システム。
【請求項３２】
前記命令は、指令、機械コード、事前コンパイルされたソースコード、又はソースコードであり、及び／又は、前記命令は、モジュール様のソフトウエアコンポーネント、特に接続を形成する、
請求項３１に記載の分析システム。